(57)【要約】【課題】清掃が困難である従来の欠点を改善することができるように、分離して洗浄することが可能な分離式エアフライヤーを提供する。【解決手段】分離式エアフライヤーは、鍋蓋１、鍋外カバー２、内鍋３、調理チャンバ４及びステンレス網５を備える。鍋蓋１は、鍋外カバー２上に取り付けられ、頂部に吸気口６を有し、内部に熱風装置７が設置され、底部に排煙窓８を有する。内鍋３は、鍋外カバー２に内嵌され、底部に突出部９を有する。調理チャンバ４は、内鍋３内に着脱自在に取り付けられて内鍋３の両側及び底部に気流流路１０が形成される。ステンレス網５は、調理チャンバ４内に設置されている。【選択図】図１
0003186474.tif 000002
【実用新案登録請求の範囲】
【請求項１】
鍋蓋、鍋外カバー、内鍋、調理チャンバ及びステンレス網を備えた分離式エアフライヤーであって、
前記鍋蓋は、前記鍋外カバー上に取り付けられ、頂部に吸気口を有し、内部に熱風装置が設置され、底部に排煙窓を有し、
前記内鍋は、前記鍋外カバーに内嵌され、底部に突出部を有し、
前記調理チャンバは、前記内鍋内に着脱自在に取り付けられて前記内鍋の両側及び底部に気流流路が形成され、
前記ステンレス網は、前記調理チャンバ内に設置されていることを特徴とする分離式エアフライヤー。
【請求項２】
前記鍋蓋の一端は、前記鍋外カバーへヒンジ接合され、
前記鍋外カバー上には、係合構造が設けられ、
前記鍋蓋は、前記係合構造を介して前記鍋外カバーに固定されることを特徴とする請求項１に記載の分離式エアフライヤー。
【請求項３】
前記係合構造は、掛止部材、外層ボタン及びばねを含み、
前記鍋外カバー上には、前記係合構造を収納する収納領域が設けられ、
前記掛止部材は、前記収納領域内へ螺着され、上端が前記鍋蓋に掛止可能であり、
前記外層ボタンは、前記鍋外カバーの外側面へ摺動自在に横向きに取り付けられ、末端が前記掛止部材の底端に接続され、
前記鍋外カバーには、前記外層ボタンに対応した箇所に凹溝が形成され、
前記ばねは、前記凹溝内に配設され、一端が前記外層ボタンの末端に接続され、他端が前記凹溝内に固定されることを特徴とする請求項２に記載の分離式エアフライヤー。
【請求項４】
前記熱風装置は、電動機、上層壁プラスチックカバー、上風車翼、下風車翼、上反射板、下反射板及び電熱管を含み、
前記上層壁プラスチックカバーは、前記鍋蓋内に配置され、
前記上反射板及び前記下反射板は、上から下方向へかけて順次、前記上層壁プラスチックカバー内に配設され、
前記電動機は、前記上層壁プラスチックカバーと前記鍋蓋の頂部との間に取り付けられ、出力軸が順次、前記上層壁プラスチックカバー、前記上反射板及び前記下反射板に挿通され、
前記上風車翼は、前記上反射板と前記下反射板との間に配設され、前記電動機の前記出力軸に接続され、
前記下風車翼は、前記下反射板の下方に配設され、前記電動機の前記出力軸に接続され、
前記電熱管は、前記鍋蓋内に配設されて前記下風車翼の下方に位置することを特徴とする請求項１に記載の分離式エアフライヤー。
【請求項５】
前記鍋蓋の底部には、密封リングが設けられていることを特徴とする請求項１に記載の分離式エアフライヤー。
【考案の詳細な説明】
【技術分野】
【０００１】
本考案は、分離式エアフライヤーに関し、特に、食べ物の調理に用いる分離式エアフライヤーに関する。
【背景技術】
【０００２】
従来のエアフライヤーの内部構造は、熱風装置及び調理チャンバを含む。熱風装置の熱風を下方の調理チャンバへ吹き付け、下方の調理チャンバの底部に設けられた反射構造を利用して上方へ熱を反射させ、熱を循環させて食材が完全に焼成されるまで調理し、表面の水分を乾燥させることにより、油を使用しなくとも油で揚げたような効果を得ることができる。
【０００３】
上述したようにエアフライヤーは食べ物を調理することができるが、以下の欠点が存在した。エアフライヤーの内部の封止構造中で食材が高温になると、その表面の水分及び油が高温により飛び散り、油が熱風装置内へ飛び散って溜まると、時間の経過とともにエアフライヤー内に異味が発生して留まり、調理する食材に悪影響を与えることがある。油が熱風装置中に付着すると、表面が腐食してエアフライヤーの使用寿命に悪影響を及ぼす虞もある。
【考案の概要】
【考案が解決しようとする課題】
【０００４】
本考案の目的は、清掃が困難である従来の欠点を改善することができるように、分離して洗浄することが可能な分離式エアフライヤーを提供することにある。
【課題を解決するための手段】
【０００５】
上記課題を解決するために、本考案の第１の形態によれば、鍋蓋、鍋外カバー、内鍋、調理チャンバ及びステンレス網を備えた分離式エアフライヤーであって、前記鍋蓋は、前記鍋外カバー上に取り付けられ、頂部に吸気口を有し、内部に熱風装置が設置され、底部に排煙窓を有し、前記内鍋は、前記鍋外カバーに内嵌され、底部に突出部を有し、前記調理チャンバは、前記内鍋内に着脱自在に取り付けられて前記内鍋の両側及び底部に気流流路が形成され、前記ステンレス網は、前記調理チャンバ内に設置されていることを特徴とする分離式エアフライヤーが提供される。
【０００６】
前記鍋蓋の一端は、前記鍋外カバーへヒンジ接合され、前記鍋外カバー上には、係合構造が設けられ、前記鍋蓋は、前記係合構造を介して前記鍋外カバーに固定されることが好ましい。
【０００７】
前記係合構造は、掛止部材、外層ボタン及びばねを含み、前記鍋外カバー上には、前記係合構造を収納する収納領域が設けられ、前記掛止部材は、前記収納領域内へ螺着され、上端が前記鍋蓋に掛止可能であり、前記外層ボタンは、前記鍋外カバーの外側面へ摺動自在に横向きに取り付けられ、末端が前記掛止部材の底端に接続され、前記鍋外カバーには、前記外層ボタンに対応した箇所に凹溝が形成され、前記ばねは、前記凹溝内に配設され、一端が前記外層ボタンの末端に接続され、他端が前記凹溝内に固定されることが好ましい。
【０００８】
前記熱風装置は、電動機、上層壁プラスチックカバー、上風車翼、下風車翼、上反射板、下反射板及び電熱管を含み、前記上層壁プラスチックカバーは、前記鍋蓋内に配置され、前記上反射板及び前記下反射板は、上から下方向へかけて順次、前記上層壁プラスチックカバー内に配設され、前記電動機は、前記上層壁プラスチックカバーと前記鍋蓋の頂部との間に取り付けられ、出力軸が順次、前記上層壁プラスチックカバー、前記上反射板及び前記下反射板に挿通され、前記上風車翼は、前記上反射板と前記下反射板との間に配設され、前記電動機の前記出力軸に接続され、前記下風車翼は、前記下反射板の下方に配設され、前記電動機の前記出力軸に接続され、前記電熱管は、前記鍋蓋内に配設されて前記下風車翼の下方に位置することが好ましい。
【０００９】
前記鍋蓋の底部には、密封リングが設けられていることが好ましい。
【図面の簡単な説明】
【００１０】
【図１】図１は、本考案の一実施形態に係る分離式エアフライヤーを示す断面図である。
【図２】図２は、本考案の一実施形態に係る分離式エアフライヤーを別の角度から見たところを示す断面図である。
【図３】図３は、本考案の一実施形態に係る分離式エアフライヤーを示す分解斜視図である。
【考案を実施するための形態】
【００１１】
以下、本考案の実施形態について図に基づいて説明する。なお、これによって本考案が限定されるものではない。
【００１２】
図１を参照する。図１に示すように、本考案の一実施形態に係る分離式エアフライヤーは、少なくとも鍋蓋１、鍋外カバー２、内鍋３、調理チャンバ４及びステンレス網５から構成される。
【００１３】
上述の鍋蓋１は、鍋外カバー２上に取り付けられ、頂部に吸気口６を有し、内部に熱風装置７が設置され、底部に排煙窓８を有する。上述の内鍋３は、鍋外カバー２内に嵌合され、底部に突出部９が形成されている。上述の調理チャンバ４は、内鍋３と着脱自在に組み合わされ、内鍋３の両側及び底部に気流流路１０が形成される。上述のステンレス網５を調理チャンバ４内に設置し、吸気口６から吸気した熱風の一部を熱風装置７により加熱して調理チャンバ４へ直接吹き付けると、調理チャンバ４中の食材の上表面が焼成され、気流流路１０を介して熱風の残部が内鍋３の底部へ吹き付けられ、内鍋３の底部の突出部９から調理チャンバ４の底部へ導流されてから、ステンレス網５を介して調理チャンバ４の底部の食材を焼成する。熱風は食材を焼成した後、排煙窓８から排出され、内部の熱風が循環することにより内部の食材表面は、水分が乾いてエアフライヤーの効果を得る。本実施形態の鍋蓋１底部には、鍋蓋１と鍋外カバー２との間に形成された隙間から熱風が漏れることを防ぎ、エアフライヤー全体の安全性を高めるために、密封リングを設けてもよい。
【００１４】
図２を参照する。図２に示すように、本考案の一実施形態に係る分離式エアフライヤーの鍋蓋１は、一端が鍋外カバー２へヒンジ接合されている。上述の鍋外カバー２上には、係合構造１１が設けられている。上述の鍋蓋１は、係合構造１１を介して鍋外カバー２上に固定され、係合構造１１を利用して鍋蓋１により鍋外カバー２上を覆って分離されることを防ぐ。上述の係合構造１１は、掛止部材１２、外層ボタン１３及びばね１４を含む。上述の鍋外カバー２上には、係合構造１１を収納する収納領域１５が設けられる。上述の掛止部材１２は、収納領域１５内へ螺着され、上端が鍋蓋１に掛止可能である。上述の外層ボタン１３は、鍋外カバー２の外側面へ摺動自在に横向きに取り付けられ、末端が掛止部材１２の底端に接続される。上述の鍋外カバー２には、外層ボタン１３に対応した箇所に凹溝１６が形成されている。上述のばね１４は、凹溝１６内に配設され、一端が外層ボタン１３の末端に接続され、他端が凹溝１６内に固定される。外層ボタン１３を摺動させて掛止部材１２を回転させ、掛止部材１２の上端を鍋蓋１へ締め付けたり緩めたりして鍋蓋１を開閉する。
【００１５】
図２及び図３を参照する。図２及び図３に示すように、本考案の一実施形態に係る分離式エアフライヤーの熱風装置７は、電動機７１、上層壁プラスチックカバー７２、上風車翼７３、下風車翼７４、上反射板７５、下反射板７６及び電熱管７７を含む。上述の上層壁プラスチックカバー７２は、鍋蓋１内に取り付けられる。上述の上反射板７５及び下反射板７６は、上から下方向へかけて順次、上層壁プラスチックカバー７２内に配設される。上述の電動機７１は、上層壁プラスチックカバー７２と鍋蓋１の頂部との間に取り付けられ、その出力軸が順次、上層壁プラスチックカバー７２、上反射板７５及び下反射板７６に挿通される。上述の上風車翼７３は、上反射板７５と下反射板７６との間へ配設され、電動機７１の出力軸に接続される。上述の下風車翼７４は、下反射板７６の下方に配設され、電動機７１の出力軸に接続される。上述の電熱管７７は、鍋蓋１内に取り付けられて下風車翼７４の下方に位置し、上風車翼７３及び下風車翼７４は、電動機７１により回転される。上風車翼７３を回転させると、吸気口６から冷気が吸入されて下方へ吹き付けられ、下風車翼７４により冷気が電熱管７７へ吹き付けられ、電熱管７７により冷気を加熱して熱風を形成する。熱風の一部を調理チャンバ４へ直接吹き付け、調理チャンバ４内の上部にある食材を焼成し、熱風の残部が上層壁プラスチックカバー７２上の上反射板７５及び下反射板７６の反射作用により、気流流路１０へ進入した後、内鍋３の底部に吹き付けられ、内鍋３の底部に形成された突出部９から調理チャンバ４の底部へ導流された後、ステンレス網５により調理チャンバ４の底部に置いた食材が焼成され、食材が焼成された後、排煙窓８から熱風が排出される。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１    鍋蓋
２    鍋外カバー
３    内鍋
４    調理チャンバ
５    ステンレス網
６    吸気口
７    熱風装置
８    排煙窓
９    突出部
１０  気流流路
１１  係合構造
１２  掛止部材
１３  外層ボタン
１４  ばね
１５  収納領域
１６  凹溝
７１  電動機
７２  上層壁プラスチックカバー
７３  上風車翼
７４  下風車翼
７５  上反射板
７６  下反射板
７７  電熱管
【図１】
0003186474.tif 000003
【図２】
0003186474.tif 000004
【図３】
0003186474.tif 000005